(57)【要約】      （修正有）【課題】タッチキーに割り当てられた情報と関連性のある情報に対するユーザの認知度を高めたタッチパネル入力装置を提供する。【解決手段】キー情報記憶部は、タッチキー毎に、画面上の位置を表す第１の情報と当該タッチキーのタッチ操作により入力される第２の情報とを記憶する。関連付け情報記憶部は、第２の情報に付随する第３の情報を示すアイコンの識別情報を、第３の情報が付随する第２の情報を入力するためのタッチキーの識別情報と関連付けて記憶する。ＣＰＵは、キー情報記憶部に記憶された第１の情報及び第２の情報に基づいて画面にタッチキーを配置し、さらに関連付け情報記憶部に記憶された情報から画面のタッチキーに対してアイコンが関連付けされている場合には、当該タッチキーに当該アイコンを付加する。【選択図】図３
2020123390.tif 000002
【特許請求の範囲】
【請求項１】
タッチキーが配置される画面を表示し、前記タッチキーに対するタッチ入力を受け付けるタッチパネルと、
前記タッチキー毎に、前記画面上の位置を表す第１の情報と当該タッチキーのタッチ操作により入力される第２の情報とを記憶するキー情報記憶部と、
前記第２の情報に付随する第３の情報を示すアイコンの識別情報を、前記第３の情報が付随する前記第２の情報を入力するための前記タッチキーの識別情報と関連付けて記憶する関連付け情報記憶部と、
前記キー情報記憶部に記憶された前記第１の情報及び前記第２の情報に基づいて前記画面に前記タッチキーを配置し、さらに前記関連付け情報記憶部に記憶された情報から前記画面のタッチキーに対して前記アイコンが関連付けされている場合には、当該タッチキーに当該アイコンを付加する処理手段と、を具備したことを特徴とするタッチパネル入力装置。
【請求項２】
前記タッチパネルに表示された画面のタッチ入力位置に前記アイコンが表示されている場合、そのアイコンが関連付けされている前記タッチキーのタッチ入力として受け付ける受付手段、をさらに具備したことを特徴とする請求項１に記載のタッチパネル入力装置。
【請求項３】
前記処理手段は、前記アイコンが関連付けされている前記タッチキーに対する前記第１の情報に基づいて前記アイコンの表示位置を決定する位置決定手段、を含むことを特徴とする請求項１又は２記載のタッチパネル入力装置。
【請求項４】
前記第１の情報は、前記タッチキーのサイズデータを含み、
前記処理手段は、前記アイコンが関連付けされている前記タッチキーに対する前記サイズデータに基づいて前記アイコンのサイズを決定するサイズ決定手段、を含むことを特徴とする請求項１又は２記載のタッチパネル入力装置。
【請求項５】
タッチパネルにタッチキーが配置される画面を表示させ、前記タッチキーに対するタッチ入力を受け付ける機能と、前記タッチキー毎に、前記画面上の位置を表す第１の情報と当該タッチキーのタッチ操作により入力される第２の情報とを記憶するキー情報記憶部、及び、前記第２の情報に付随する第３の情報を示すアイコンの識別情報を、前記第３の情報が付随する前記第２の情報を入力するための前記タッチキーの識別情報と関連付けて記憶する関連付け情報記憶部から、情報を読み取る機能と、を備えたコンピュータに、
前記キー情報記憶部に記憶された前記第１の情報及び前記第２の情報に基づいて前記画面に前記タッチキーを配置する機能と、
前記関連付け情報記憶部に記憶された情報から前記画面のタッチキーに対して前記アイコンが関連付けされている場合には、当該タッチキーに当該アイコンを付加する機能と、を実現させるための制御プログラム。
【発明の詳細な説明】
【技術分野】
【０００１】
本発明の実施形態は、タッチパネル入力装置及びコンピュータを当該タッチパネル入力装置として機能させるための制御プログラムに関する。
【背景技術】
【０００２】
タッチパネル入力装置は、タッチキーがタッチされると、そのタッチキーに割り当てられた情報の入力を受け付ける。このようなタッチパネル入力装置は、例えば顧客自身が買上商品の決済を行うことが可能なセルフＰＯＳ端末で用いられる。
【０００３】
タッチキーには、通常、そのキーに割り当てられた情報を表すテキスト又は画像が表示される。したがってユーザは、タッチキーに表示されるテキスト又は画像から、そのキーに割り当てられた情報を知ることができる。その一方で、タッチキーに割り当てられた情報と関連性のある情報をユーザに告知したいという要求がある。例えば、セルフＰＯＳ端末が導入された小売店で、自社のクレジットカードで支払いを行った買物客にはサービスポイントを２倍にするという販促を実施する場合がある。このような場合、従来は、販促内容を記載したＰＯＰ広告を店内に貼り出したり、店内のディスプレイに販促内容を表示させたりして、買物客に告知している。しかしながら、ＰＯＰ広告又は店内ディスプレイを用いた告知では、買物客の認知度が低いという懸念がある。
【先行技術文献】
【特許文献】
【０００４】
【特許文献１】特開２００９−２８２５７２号公報
【発明の概要】
【発明が解決しようとする課題】
【０００５】
本発明の実施形態が解決しようとする課題は、タッチキーに割り当てられた情報と関連性のある情報に対するユーザの認知度を高め得るタッチパネル入力装置を提供しようとするものである。
【課題を解決するための手段】
【０００６】
一実施形態において、タッチパネル入力装置は、タッチキーが配置される画面を表示し、前記タッチキーに対するタッチ入力を受け付けるタッチパネルと、キー情報記憶部と、関連付け情報記憶部と、処理手段と、を含む。キー情報記憶部は、タッチキー毎に、画面上の位置を表す第１の情報と当該タッチキーのタッチ操作により入力される第２の情報とを記憶する。関連付け情報記憶部は、第２の情報に付随する第３の情報を示すアイコンの識別情報を、第３の情報が付随する第２の情報を入力するためのタッチキーの識別情報と関連付けて記憶する。処理手段は、キー情報記憶部に記憶された第１の情報及び第２の情報に基づいて画面にタッチキーを配置し、さらに関連付け情報記憶部に記憶された情報から画面のタッチキーに対してアイコンが関連付けされている場合には、当該タッチキーに当該アイコンを付加する。
【図面の簡単な説明】
【０００７】
【図１】セルフＰＯＳ端末の要部回路構成を示すブロック図。
【図２】タッチパネルに表示される画面の一遷移例を示す図。
【図３】買物選択画面の一例を示す図。
【図４】商品選択画面の一例を示す図。
【図５】支払選択画面の一例を示す図。
【図６】主要なデータテーブルのデータ構造を示す模式図。
【図７】ＣＰＵが実行する画面表示処理の手順を示す流れ図。
【図８】ＣＰＵが実行する入力受付処理の手順を示す流れ図。
【図９】第２の実施形態の主要なデータテーブルを示す模式図。
【図１０】第２の実施形態において、ＣＰＵが実行する画面表示処理の手順を示す流れ図。
【発明を実施するための形態】
【０００８】
以下、タッチパネル入力装置の実施形態について、図面を用いて説明する。なお、この実施形態は、セルフＰＯＳ端末の表示デバイス及び入力デバイスとして機能するタッチパネル入力装置を例示する。
【０００９】
（第１の実施形態）
図１は、セルフＰＯＳ端末の要部回路構成を示すブロック図である。セルフＰＯＳ端末は、ＣＰＵ（Central Processing Unit）１、ＲＯＭ（Read Only Memory）２、ＲＡＭ（Random Access Memory）３、補助記憶部４、時計部５、通信インターフェース６、紙幣釣銭ユニット７、硬貨釣銭ユニット８、秤ユニット９、リーダライタ１０、カードリーダ１１、プリンタ１２、スキャナ１３、タッチパネル１４及びシステムバス１５を備える。そしてセルフＰＯＳ端末は、ＣＰＵ１、ＲＯＭ２、ＲＡＭ３及び補助記憶部４をシステムバス１５で接続することにより、コンピュータを構成する。
【００１０】
ＣＰＵ１は、コンピュータの中枢部分に相当する。ＲＯＭ２は、上記コンピュータの主記憶部分に相当する。ＲＯＭ２は、上記のオペレーティングシステムやアプリケーションプログラムを記憶する。ＲＡＭ３は、上記コンピュータの主記憶部分に相当する。ＲＡＭ３は、ＣＰＵ１が処理を実行する上で必要なデータを記憶する。補助記憶部４は、上記コンピュータの補助記憶部分に相当する。補助記憶部４は、例えばＥＥＰＲＯＭ（登録商標）（Electric Erasable Programmable Read-Only Memory）、ＨＤＤ（Hard Disc Drive）、あるいはＳＳＤ（Solid State Drive）などである。
【００１１】
時計部５、通信インターフェース６、紙幣釣銭ユニット７、硬貨釣銭ユニット８、秤ユニット９、リーダライタ１０、カードリーダ１１、プリンタ１２、スキャナ１３及びタッチパネル１４は、直接又は信号入出力回路を介して間接的にシステムバス１５と接続される。
【００１２】
時計部５は、セルフＰＯＳ端末の時刻情報源として機能する。ＣＰＵ１は、時計部５によって計時される時刻情報を基に、現在の日付及び時間を計時する。通信インターフェース６は、ＬＡＮを介して接続される機器（例えばアテンダント端末、ストアサーバ等）と、予め設定された通信プロトコルに従いデータ通信を行う。紙幣釣銭ユニット７は、紙幣投入口から投入された紙幣を金種別に計数して投入金額を算出するとともにその投入紙幣を金庫に金種別に収容する。また紙幣釣銭ユニット７は、ＣＰＵ１から与えられる釣銭払出指令に応じて、釣銭として必要な紙幣を前記金庫から取り出し、紙幣払出口に払い出す。硬貨釣銭ユニット８は、硬貨投入口から投入された硬貨を金種別に計数して投入金額を算出するとともにその投入硬貨を金庫に金種別に収容する。また硬貨釣銭ユニット８は、ＣＰＵ１から与えられる釣銭払出指令に応じて、釣銭として必要な硬貨を前記金庫から取り出し、硬貨払出口に払い出す。秤ユニット９は、スキャナ１３又はタッチパネル１４を介して登録された商品を計量する。リーダライタ１０は、ＩＣカードに記録されたデータの読取り及びＩＣカードへのデータの書込みを非接触で行う。ＩＣカードは、例えば電子マネーカード、ポイントカード、クレジットカード等である。カードリーダ１１は、磁気カードに記録されたデータを読み取る。磁気カードは、例えばクレジットカード、ポイントカード等である。プリンタ１２は、所定のレシート用紙に商取引の明細を表すレシートデータを印字する。スキャナ１３は、バーコードを光学的に読み取る。多くの商品には、その商品固有の商品コードを表すバーコードが付されている。
【００１３】
タッチパネル１４は、タッチキーを含む種々の画面を表示する表示デバイスと、タッチキーのタッチ入力を受けてそのタッチキーに割り当てられた情報の入力を受け付ける入力デバイスとして機能する。タッチパネル１４は、ＣＰＵ１、ＲＯＭ２、ＲＡＭ３及び補助記憶部４と協働してタッチパネル入力装置２０を構成する。以下、タッチパネル入力装置２０について、具体的に説明する。
【００１４】
図２は、タッチパネル１４に表示される画面の一遷移例を示す。セルフＰＯＳ端末がデフォルトの状態のとき、タッチパネル入力装置２０は、タッチパネル１４にスタート画面２１を表示させる。スタート画面２１には、決済のスタートを指令するタッチキー（スタートキー）が配置される。スタートキーがタッチ操作されると、タッチパネル入力装置２０は、タッチパネル１４に買物選択画面２２を表示させる。買物選択画面２２には、ユーザ（買物客）に買物方法（マイバッグ持参、レジ袋使用、買物シール等）を選択させる複数のタッチキー（買物キー）が配置される。いずれかの買物キーがタッチ操作されると、タッチパネル入力装置２０は、タッチパネル１４に登録画面２３を表示させる。登録画面２３には、登録商品の明細及び合計金額等が表示される領域とともに、バーコードのない商品群（例えば野菜、果物、魚介、惣菜など）を指定する複数のタッチキー（商品群キー）と、買上商品の登録が終了し会計を指令するタッチキー（会計キー）とが配置される。
【００１５】
いずれかの商品群キーがタッチ操作されると、タッチパネル入力装置２０は、タッチパネル１４に商品選択画面２４を表示させる。商品選択画面２４には、タッチ操作された商品群キーに割り当てられている商品群に属する商品がそれぞれ割り当てられた複数のタッチキー（商品キー）が配置される。いずれかの商品キーがタッチ操作されると、タッチパネル入力装置２０は、タッチパネル１４の画面を登録画面２３に戻す。このとき、セルフＰＯＳ端末では、タッチ操作された商品キーに割り当てられている商品の販売データが登録処理され、その明細が登録画面２３に表示される。
【００１６】
会計キーがタッチ操作されると、タッチパネル入力装置２０は、タッチパネル１４に支払選択画面２５を表示させる。支払選択画面２５には、ユーザに支払方法（現金、クレジットカード、電子マネー等）を選択させる複数のタッチキー（支払キー）が配置される。いずれかの支払キーがタッチ操作されると、タッチパネル入力装置２０は、タッチパネル１４に会計画面２６を表示させる。このとき、セルフＰＯＳ端末では、タッチ操作された支払方法に準じた会計処理が実行される。そして、会計情報（例えば支払金額、釣銭額、電子マネー残高等）が会計画面２６に表示される。会計処理が終了すると、タッチパネル入力装置２０は、タッチパネル１４をスタート画面２１に戻す。
【００１７】
図２に示す順序で画面を遷移させるタッチパネル入力装置２０は、画面上のタッチキーに対して選択的にアイコンを付加する機能を有する。アイコンは、タッチキーのタッチ操作により入力される情報に対して付随する情報を示す。本実施形態では、付随する情報を販促情報とする。
【００１８】
図３乃至図５に具体例を示す。図３は、買物選択画面２２において、「マイバッグ持参」の買物キー２２ａに「ポイント２倍」のアイコン３１を付加した例である。この例は、「マイバッグを持参した買物客にはサービスポイントを２倍とする」という販促情報に応じたものである。図４は、商品選択画面２４において、「ニンジン」の商品キー２４ａに「広告の品」のアイコン３２を付加した例である。この例は、「ニンジンは広告の品である」という販促情報に応じたものである。図５は、支払選択画面２５において、「自社クレジット」の支払キー２５ａに「ポイント２倍」のアイコン３１を付加した例である。この例は、「自社クレジットで決済を行う買物客にはサービスポイントを２倍とする」という販促情報に応じたものである。
【００１９】
図３乃至図５に示すように、本実施形態では、タッチキーの形状を、角を丸めた四角形とする。そして、この四角形の横方向の一辺の長さをＸＬとし、縦方向の一辺の長さをＹＬとする。長さＸＬおよび長さＹＬは、一画面に表示されるタッチキーの数等によって定まる。また本実施形態では、タッチキーに付加されるアイコンの形状を、横長の楕円とする。そして、この楕円の長軸を、タッチキーの上辺と一致させる。また、この楕円の短半径を、長さＹＬの１／３とする。
【００２０】
このような機能を実現させるために、タッチパネル入力装置２０は、図６に示すデータテーブル４１〜４３をＲＡＭ３又は補助記憶部４に備える。
【００２１】
データテーブル４１は、各画面２１〜２５にタッチキーを配置するのに必要なデータを画面２１〜２５別に記憶する。すなわちデータテーブル４１は、画面２１〜２５の数だけある。データテーブル４１は、画面コードエリアと、キー数エリアと、複数のキーデータエリアとを有する。画面コードエリアには、画面２１〜２５毎に設定された一意の画面コードがセットされる。キー数エリアには、その画面コードで特定される画面に表示されるタッチキーの数ｎがセットされる。キー情報エリアには、各タッチキーについて、キーＩＤ、基点座標、サイズデータ及びキー情報がセットされる。キーＩＤは、各タッチキーを個々に識別する一意のコードである。基点座標及びサイズデータは、タッチキーの配置位置及び大きさを表すパラメータである。キー情報は、そのキーに割り当てられた情報を表す表示データ（テキスト又は画像）と属性（背景色等）を含む。
【００２２】
本実施形態では、タッチパネル１４の画面上の位置（点）を二次元直交座標系（ｘ，ｙ）で表す。そして、図３乃至図５に示すように、タッチキーの左下角を基点Ｐとし、この基点Ｐの直交座標を基点座標（ｘｉ，ｙｉ）とする。また、タッチキーの各一辺の長さＸＬ、ＹＬをサイズデータとする。すなわち、データテーブル４１に記憶される基点座標及びサイズデータは、タッチキー毎に画面上の位置を表す第１の情報である。同じくデータテーブル４１に記憶されるキー情報は、当該タッチキーのタッチ操作により入力される第２の情報である。ここに、データテーブル４１は、キー情報記憶部を構成する。
【００２３】
データテーブル４２は、各画面２１〜２５のタッチキーに対して選択に付加されるアイコンに関するデータを記憶する。データテーブル４２は、アイコンＩＤエリアとアイコン情報エリアとを有する。アイコンＩＤエリアには、アイコンＩＤがセットされる。アイコンＩＤは、各アイコンを個々に識別する一意のコードである。アイコン情報エリアには、アイコンによって告知される情報（販促情報）、例えば「ポイント２倍」、「ポイント３倍」、「広告の品」等がセットされる。
【００２４】
データテーブル４３は、画面コード毎に、その画面コードで特定される画面に配置されるタッチキーのキーＩＤとそのタッチキーに付加されるアイコンのアイコンＩＤとを記憶する。データテーブル４３は、画面コードエリアと、キーＩＤエリアと、アイコンＩＤエリアとを有する。画面コードエリアには、アイコンが付加されるタッチキーを含む画面の画面コードがセットされる。キーＩＤエリアには、アイコンが付加されるタッチキーのキーＩＤがセットされる。アイコンＩＤエリアには、対応するキーＩＤで特定されるタッチキーに付加されるアイコンのアイコンＩＤがセットされる。すなわちデータテーブル４３は、第２の情報（キー情報）に付随する第３の情報（アイコン情報）を示すアイコンの識別情報（アイコンＩＤ）を、第３の情報が付随する第２の情報を入力するためのタッチキーの識別情報（キーＩＤ）と関連付けて記憶する関連付け情報記憶部を構成する。
【００２５】
しかしてタッチパネル入力装置２０のコンピュータは、図７及び図８の流れ図に示す手順の情報処理を実行する。  
図７は、ＣＰＵ１が、ＲＯＭ２又は補助記憶部４に格納された制御プログラムにしたがって実行する画面表示処理の手順を示す流れ図である。この処理は、画面コードが生成されると開始する。なお、図７に示すとともに以下に説明する処理の内容は一例であって、同様な結果を得ることが可能な様々な処理を適宜に利用できる。
【００２６】
セルフＰＯＳ端末においては、スタート画面２１のスタートキーがタッチ操作されると、買物選択画面２２の画面コードが生成される。買物選択画面２２の買物キーがタッチ操作れると、登録画面２３の画面コードが生成される。登録画面２３の商品群キーがタッチ操作されると、商品選択画面２４の画面コードが生成される。また、登録画面２３の会計キーがタッチ操作されると、支払選択画面２５の画面コードが生成される。支払選択画面２５の支払キーがタッチ操作されると、会計画面２６の画面コードが生成される。
【００２７】
このように画面コードが生成されると、ＣＰＵ１は、その画面コードを検出する（Act１）。画面コードを検出したならば、ＣＰＵ１は、その画面コードがセットされたデータテーブル４１のタッチキーデータ（ｎ個のキーＩＤ、基点座標Ｐ、サイズ、キー情報）を入力する（Act２）。ＣＰＵ１は、タッチキーデータに基づいて、画面コードで特定される画面にｎ個のタッチキーが配置されるように画像データを編集する（Act３：処理手段）。
【００２８】
次にＣＰＵ１は、検出した画面コードがデータテーブル４３にセットされているか確認する（Act４）。画面コードがセットされていない場合（Act４にてＮＯ）、ＣＰＵ１は、Act３の処理で編集した画像データの画面をタッチパネル１４に表示させる（Act５）。以上で、画面表示処理は終了する。したがってこの場合には、画面上のタッチキーに対してアイコンは付加されていない。
【００２９】
これに対し、検出した画面コードがデータテーブル４３にセットされている場合には（Act４にてＹＥＳ）、ＣＰＵ１は、当該画面コードに関連付けられたキーＩＤとアイコンＩＤとを検出する（Act６）。次いでＣＰＵ１は、検出した画面コードのデータテーブル４１から、当該キーＩＤに関連付けて記憶されている基点座標Ｐとサイズデータとを入力する。そしてＣＰＵ１は、基点座標Ｐとサイズデータとに基づき、アイコンの中心座標Ｑ（Ｘｎ，Ｙｎ）を決定する（Act７：位置決定手段）。またＣＰＵ１は、同サイズデータに基づき、アイコンのサイズを決定する（Act８：サイズ決定手段）。
【００３０】
具体的にはＣＰＵ１は、基点座標Ｐｘから長さＸＬの１／２だけＸ方向に移動し、さらに長さＹＬだけＹ方向に移動した点を求め、この点の座標を中心座標Ｑ（Ｘｎ，Ｙｎ）とする。またＣＰＵ１は、長さＸＬの１／２をアイコンの長半径とし、長さＹＬの１／３をアイコンの短半径とする。
【００３１】
アイコンの中心座標Ｑ（Ｘｎ，Ｙｎ）と長半径及び短半径のサイズデータを求めたならば、ＣＰＵ１は、データテーブル４２から、当該アイコンＩＤに関連付けられたアイコン情報を入力する（Act９）。そしてＣＰＵは、中心座標Ｑ（Ｘｎ，Ｙｎ）及びサイズデータとアイコン情報とに基づいて、画面コードで特定される画面のタッチキーにアイコンが付加されるように画像データを編集する（Act１０：処理手段）。しかる後、ＣＰＵ１は、Act３及びAct１０の処理で編集した画像データの画面をタッチパネル１４に表示させる（Act１１）。以上で、画面表示処理は終了する。したがって、この場合には、画面上の任意のタッチキーに対して販促情報を告知するためのアイコンが付加される。
【００３２】
図８は、ＣＰＵ１が、ＲＯＭ２又は補助記憶部４に格納された制御プログラムにしたがって実行する入力受付処理の手順を示す流れ図である。この処理は、タッチパネル１４にタッチキーを含む画面が表示されると開始する。なお、図８に示すとともに以下に説明する処理の内容は一例であって、同様な結果を得ることが可能な様々な処理を適宜に利用できる。
【００３３】
セルフＰＯＳ端末においては、スタート画面２１、買物選択画面２２、登録画面２３、商品選択画面２４及び支払選択画面２５にタッチキーが含まれる。これらの画面が表示されると、ＣＰＵ１は、画面がタッチ操作されるのを待機する（Act２１）。タッチパネル１４からの信号により画面がタッチ操作されたことを検知すると（Act２１にてＹＥＳ）、ＣＰＵ１は、タッチ操作された位置を検出する（Act２２）。そしてＣＰＵ１は、そのタッチ操作された位置がタッチキーの領域内であるか否かを確認する（Act２３）。
【００３４】
タッチキーの領域内の場合（Act２３にてＹＥＳ）、ＣＰＵ１は、このタッチキーの入力を受け付ける（Act２６）。以上で、入力受付処理は終了する。
【００３５】
一方、タッチキーの領域外の場合には（Act２３にてＮＯ）、ＣＰＵ１は、アイコンの領域内であるか否かを確認する（Act２４）。アイコンの領域内の場合（Act２４にてＹＥＳ）、ＣＰＵ１は、データテーブル４３を検索し、当該アイコンに関連付けられたタッチキーを識別する（Act２５）。すなわちＣＰＵ１は、当該アイコンのアイコンＩＤに関連付けられたキーＩＤを取得する。そしてＣＰＵ１は、このキーＩＤで識別されるタッチキーの入力を受け付ける（Act２６：受付手段）。以上で、入力受付処理は終了する。
【００３６】
入力受付処理が終了すると、ＣＰＵ１は、入力されたタッチキーに割り当てられている情報の入力処理を実行する。例えば、スタート画面２１が表示されている状態において、スタートキーがタッチ操作されると、ＣＰＵ１は、買物選択画面２２の画面コードを生成する。例えば、買物選択画面２２が表示されている状態において、買物キーがタッチ操作されると、ＣＰＵ１は、登録画面２３の画面コードを生成する。このとき、図３に示すように、タッチ操作された買物キーが、ポイント２倍のアイコン３１が表示されたマイバックキー２２ａであった場合、ＣＰＵ１は、サービスポイントを２倍とするための処理を実行する。これらの入力処理は、既存のセルフＰＯＳ端末において既に実行されている処理であるので、具体的な説明は省略する。
【００３７】
このように本実施形態によれば、タッチキーに割り当てられた情報に対して付随する情報がある場合、その付随する情報を表すアイコンが当該タッチキーに付加される。したがってユーザは、タッチキーに付加されたアイコンから、そのタッチキーに付随する情報を容易に認識できる。その結果、タッチキーに割り当てられた情報と関連性のある情報に対するユーザの認知度を高めることができる。
【００３８】
また、本実施形態によれば、アイコンはタッチキーと同じ横幅でかつ一部が重複するように付加される。そして、ユーザがアイコンの領域にタッチした場合も、そのアイコンが付加されたタッチキーに割り当てられた情報が入力される。したがって、タッチキーにより入力される情報とアイコンによって告知される情報との関連性が明確であるうえ、ユーザがアイコンをタッチ操作しても、タッチパネル入力装置２０は、そのアイコンが付加されたタッチキーの入力とみなすことができる。
【００３９】
（第２の実施形態）
第２の実施形態では、データテーブル４３を、図９に示すデータテーブル４４に変更する。すなわちデータテーブル４４に期間データを追加する。期間データは、対応するアイコンＩＤで特定されるアイコンの表示期間である。期間データは、例えば期間開始日の年月日と期間終了日の年月日とを含む。年月日に加えて、開始時刻と終了時刻とを含めてもよい。
【００４０】
かかる構成のデータテーブル４４を備えた第２の実施形態では、画面表示処理の手順の一部が第１の実施形態と異なる。図１０は、第２の実施形態において、ＣＰＵ１が実行する画面表示処理の手順を示す流れ図である。なお、図７と同一の行動（Act）には同一の符号を付し、詳しい説明は省略する。
【００４１】
図１０に示すように、第２の実施形態では、検出した画面コードがデータテーブル４３にセットされている場合（Act４にてＹＥＳ）、ＣＰＵ１は、その画面コードに関連付けてデータテーブル４３にセットされている期間データを検出する。そしてＣＰＵ１は、時計部５で計時されている現在日時が期間データによって定まる期間内か否かを判定する（Act３１）。期間内である場合（Act３１にてＹＥＳ）、ＣＰＵ１は、前述したAct６乃至１１の処理を実行する。期間外である場合には（Act３１にてＮＯ）、ＣＰＵ１は、前述したＡｃｔ５の処理を実行する。
【００４２】
このような構成の第２の実施形態によれば、アイコンをタッチキーに付加する期間を任意に設定することができる。このため、アイコンによって告知される情報が期間限定であった場合でも、その期間内だけタッチキーにアイコンを付加するということを容易に実施できる。
【００４３】
なお、本発明は、前記各実施形態に限定されるものではない。  
例えば、タッチキーに付加されるアイコンの基準座標とサイズとは、そのタッチキーの基準座標とサイズとから決定しなくてもよい。予めサイズが設定されたアイコンをタッチキーの少なくとも一部に重複するように表示させてもよい。
【００４４】
また、前記実施形態では、セルフＰＯＳ端末の表示デバイス及び入力デバイスとして機能するタッチパネル入力装置を例示したが、セルフＰＯＳ端末以外の電子機器のタッチパネル入力装置についても、同様に適用できるものである。
【００４５】
なお、タッチパネル入力装置の譲渡は一般に、制御プログラム等のプログラムがＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００４６】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１…ＣＰＵ、２…ＲＯＭ、３…ＲＡＭ、４…補助記憶部、１４…タッチパネル、２０…タッチパネル入力装置、２１…スタート画面、２２…買物選択画面、２３…登録画面、２４…商品選択画面、２５…支払選択画面、２６…会計画面、４１〜４４…データテーブル。
【図１】
2020123390.tif 000003
【図２】
2020123390.tif 000004
【図３】
2020123390.tif 000005
【図４】
2020123390.tif 000006
【図５】
2020123390.tif 000007
【図６】
2020123390.tif 000008
【図７】
2020123390.tif 000009
【図８】
2020123390.tif 000010
【図９】
2020123390.tif 000011
【図１０】
2020123390.tif 000012
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
タッチキーが配置される画面を表示し、前記タッチキーに対するタッチ入力を受け付けるタッチパネルと、
前記タッチキー毎に、前記画面上の位置を表す第１の情報と当該タッチキーのタッチ操作により入力される第２の情報とを記憶するキー情報記憶部と、
前記第２の情報に付随する第３の情報を示すアイコンの識別情報を、前記第３の情報が付随する前記第２の情報を入力するための前記タッチキーの識別情報と関連付けて記憶する関連付け情報記憶部と、
前記キー情報記憶部に記憶された前記第１の情報及び前記第２の情報に基づいて前記画面に前記タッチキーを配置し、さらに前記関連付け情報記憶部に記憶された情報から前記画面のタッチキーに対して前記アイコンが関連付けされている場合には、当該タッチキーに当該アイコンを付加する処理手段と、を具備したことを特徴とするタッチパネル入力装置。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
タッチキーが配置される画面を表示し、前記タッチキーに対するタッチ入力を受け付けるタッチパネルと、
前記タッチキー毎に、前記画面上の位置を表す第１の情報と当該タッチキーのタッチ操作により入力される第２の情報とを記憶するキー情報記憶部と、
前記第２の情報に付随する第３の情報を示すアイコンの識別情報及び前記アイコンの表示期間である期間データを、前記第３の情報が付随する前記第２の情報を入力するための前記タッチキーの識別情報と関連付けて記憶する関連付け情報記憶部と、
前記キー情報記憶部に記憶された前記第１の情報及び前記第２の情報に基づいて前記画面に前記タッチキーを配置し、さらに前記関連付け情報記憶部に記憶された情報から前記画面のタッチキーに対して前記アイコンが関連付けされ、現在日時が前記アイコンの前記期間データによって定まる期間内である場合には、当該タッチキーに当該アイコンを付加する処理手段と、を具備したことを特徴とするタッチパネル入力装置。
【請求項２】
前記タッチパネルに表示された画面のタッチ入力位置に前記アイコンが表示されている場合、そのアイコンが関連付けされている前記タッチキーのタッチ入力として受け付ける受付手段、をさらに具備したことを特徴とする請求項１に記載のタッチパネル入力装置。
【請求項３】
前記処理手段は、前記アイコンが関連付けされている前記タッチキーに対する前記第１の情報に基づいて前記アイコンの表示位置を決定する位置決定手段、を含むことを特徴とする請求項１又は２記載のタッチパネル入力装置。
【請求項４】
前記期間データは、期間開始日の年月日と期間終了日の年月日とを含む、請求項１から３の何れか一項に記載のタッチパネル入力装置。
【請求項５】
タッチパネルにタッチキーが配置される画面を表示させ、前記タッチキーに対するタッチ入力を受け付ける機能と、前記タッチキー毎に、前記画面上の位置を表す第１の情報と当該タッチキーのタッチ操作により入力される第２の情報とを記憶するキー情報記憶部、及び、前記第２の情報に付随する第３の情報を示すアイコンの識別情報及び前記アイコンの表示期間である期間データを、前記第３の情報が付随する前記第２の情報を入力するための前記タッチキーの識別情報と関連付けて記憶する関連付け情報記憶部から、情報を読み取る機能と、を備えたコンピュータに、
前記キー情報記憶部に記憶された前記第１の情報及び前記第２の情報に基づいて前記画面に前記タッチキーを配置する機能と、
前記関連付け情報記憶部に記憶された情報から前記画面のタッチキーに対して前記アイコンが関連付けされ、現在日時が前記アイコンの前記期間データによって定まる期間内である場合には、当該タッチキーに当該アイコンを付加する機能と、を実現させるための制御プログラム。